(57)【特許請求の範囲】
【請求項１】
外付け型電池と前記外付け型電池を装着可能な装置本体とからなる情報処理装置であって、
前記装置本体は、
前記外付け型電池と電気的かつ機械的に接続するための被装着部を、前記装置本体がユーザーと正対するように配置されたときの左右方向の中央近傍に有し、
前記外付け型電池は、
前記装置本体と電気的かつ機械的に接続するための装着部と、電池を内蔵する握り手部とを有し、
前記装置本体に前記外付け型電池を装着するときに、前記被装着部を中心として前記握り手部が前記装置本体の左側または右側となるように装着することで重心位置が変更可能な情報処理装置。
【請求項２】
前記外付け型電池の前記装着部が前記被装着部に嵌め合って固定されることにより、前記装置本体と前記外付け型電池とが電気的に接続されることを特徴とする請求項１に記載の情報処理装置。
【請求項３】
前記外付け型電池は、前記握り手部と前記装着部とを回動可能に接続する第１のヒンジ部と第２のヒンジ部と、を有し、
前記外付け型電池は、前記被装着部を中心として前記握り手部が前記装置本体の左側または右側となるように装着したときに、前記第１のヒンジ部と前記第２のヒンジ部の回動動作により前記装置本体の裏側に沿うように前記握り手部を配置可能であることを特徴とする請求項１または２に記載の情報処理装置。
【請求項４】
前記第１のヒンジ部と前記第２のヒンジ部は、予め定められた位置において回動動作を係止するロック機構を有することを特徴とする請求項３に記載の情報処理装置。
【請求項５】
外付け型電池と前記外付け型電池を装着可能な装置本体とからなる情報処理装置の重心位置変更方法であって、
前記外付け型電池と電気的かつ機械的に接続するための被装着部を、前記装置本体がユーザーと正対するように配置されたときの左右方向の中央近傍に有する装置本体に、前記装置本体と電気的かつ機械的に接続するための装着部と、電池を内蔵する握り手部とを有する外付け型電池を装着するときに、前記被装着部を中心として前記握り手部が前記装置本体の左側または右側となるように装着することで重心位置が変更可能な情報処理装置の重心位置変更方法。
【発明の詳細な説明】
【技術分野】
【０００１】
本発明は、片手で持って操作する情報処理装置に関し、特に、重心位置を容易に変動できる情報処理装置及び重心位置変更方法に関する。
【背景技術】
【０００２】
従来のノート型パソコン（ノートＰＣ）は表示画面を大きくしてディスクトップ型パソコンと変わらない程の使い勝手であったが、折り畳んで持ち運びができるなど便利であるという特徴を有している。
【０００３】
近年は無線通信網などの発達により、どこに居ても情報を入手可能になったため、情報処理装置本体を小型化して、外出先でも長時間使用できる大容量バッテリーやバッテリーを外部増設できるモバイル型のノートＰＣが増えてきた。
【０００４】
このようなモバイル型のノートＰＣを手持ち状態で使用するときは、例えば、左手でノートＰＣの左側縁部を片持ち状態に掴み、右手で入力操作を行なう状態になる。
【０００５】
このような使用状態では、モバイル型のノートＰＣは安定な状態で持ち易く、かつ操作し易い形態であることが望ましい。
【０００６】
また大勢の人が混在する空間でモバイル型のノートＰＣを使用したい場合、例えば、朝の通勤電車などの人が混み合っている状況で立ったまま使用するときには、不安定な支持形態で操作をすることとなってしまうので、長時間使用していると持ち手が疲労してしまうことになる。
【０００７】
そこで持ち手の疲労を軽減するために、持ち手が疲れたら違う手に持ち替えたりして対応しているのが現状である。
【０００８】
また従来のモバイル型のノートＰＣは、どのようにノートＰＣを持っても良いように装置の中心に重心がくるような設計が行われている。
【０００９】
例えば特許文献１においては、電動コンプレッサに給電するバックアップ用バッテリーの車両配置位置を変更可能にして重量バランスを変えることができる冷凍車の発明が開示されている。
【００１０】
また特許文献２においては、電池を内蔵し、ユーザが片手で保持して使用する携帯可能な情報端末装置であり、長時間駆動させるために複数の電池を装置の中心軸に配置し、片手で操作する時の安定感を増すという発明が開示されている。
【先行技術文献】
【特許文献】
【００１１】
【特許文献１】特開２００１−３２４２５４号公報
【特許文献２】特開２００４−１２６７２７号公報
【発明の概要】
【発明が解決しようとする課題】
【００１２】
しかし特許文献１に記載されている方法は、要素機器である電動コンプレッサやバックアップ用バッテリーなどの重量物をバランス良く配置するための変更が行えるものであるが、容易に位置変更を行うことができないという問題がある。
【００１３】
また特許文献２に記載されている方法は、複数の電池を搭載しているので長時間駆動が可能であり、かつ、重量物となる複数の電池が筐体の中心軸上に配列されているので、情報端末装置の中心軸周りの重量バランスがとれることで片手で両縁部を握って操作する時の安定感は高められるが、装置の縁部を片持ち状態に掴んで使用するには重心のバランスが悪く、長時間片手で持つ使用状態では持ち手の疲労を軽減することができないという問題がある。
【００１４】
そこで装置の片側を片持ち状態に掴んで使用する時には、装置の重量バランス（重心）を保持している持ち手側にシフトした方が持ちやすく、持ち手の疲労を軽減することが可能となる。
【００１５】
そこで本発明は、上記問題点に鑑みてなされたもので、情報処理装置を操作する際にユーザの持ち手側に装置の重心位置を容易に変更できる情報処理装置及び重心位置変更方法を提供することを目的とする。
【課題を解決するための手段】
【００１６】
上記課題を解決するため、本発明に係る重心位置変動情報処理装置は、外付け型電池と外付け型電池を装着可能な装置本体とからなる情報処理装置であって、装置本体は、外付け型電池と電気的かつ機械的に接続するための被装着部を、装置本体がユーザーと正対するように配置されたときの左右方向の中央近傍に有し、外付け型電池は、装置本体と電気的かつ機械的に接続するための装着部と、電池を内蔵する握り手部とを有し、装置本体に外付け型電池を装着するときに、被装着部を中心として握り手部が装置本体の左側または右側となるように装着することで重心位置が変更可能なことを特徴とする。
【発明の効果】
【００１８】
本発明により、情報処理装置を操作する際にユーザの持ち手側に装置の重心位置を容易に変更できる情報処理装置及び重心位置変更方法を提供することが可能になる。
【図面の簡単な説明】
【００１９】
【図１】本発明の第１の実施形態に係る情報処理装置の概略図である。
【図２】第１の実施形態に係る情報処理装置の使用状態を説明する図である。
【図３】第１の実施形態に係る重心位置の変更手順を示すフローチャートである。
【図４】本発明の第２の実施形態に係る情報処理装置の概略図である。
【図５】第２の実施形態に係る情報処理装置の使用状態を説明する図である。
【図６】第２の実施形態に係る重心位置の変更手順を示すフローチャートである。
【図７】本発明の第３の実施形態に係る情報処理装置の概略図である。
【図８】第３の実施形態に係る情報処理装置の使用状態を説明する図である。
【図９】本発明の第４の実施形態に係る情報処理装置の概略図である。
【図１０】第４の実施形態に係る情報処理装置の使用状態を説明する図である。
【発明を実施するための形態】
【００２０】
本発明の好適な実施の形態について以下に図面を参照して詳細に説明する。
【００２１】
図１は、本発明の第１の実施形態に係る情報処理装置（モバイル型ノートＰＣ）の概略図である。図１（ａ）は正面から見た図であり外付け型電池の取り付け状態を説明する図であり、図１（ｂ）は外付け型電池の斜視図であり、図１（ｃ）は外付け型電池を取り付けた装置本体を背面から見た図であり、図１（ｄ）は装置本体を裏面から見た図である。
【００２２】
本実施形態のモバイル型ノートＰＣは、装置本体１と表示パネル部２と外付け型電池（第２の電池）３と図示しない内部電池（第１の電池）とを備えて構成される。
【００２３】
装置本体１は、入力部４と外付け型電池３の被装着部５とを備える。入力部４は例えばキーボードや、マウスパッドでカーソルを移動させて操作することで、ユーザからの情報入力部となるものである。
【００２４】
外付け型電池３を取り付けるための被装着部５は装置本体１の後ろ側に設けられている内部電池を装着するためのものである。本実施形態においては内部電池の取り付け部を外付け型電池３の被装着部５として利用する。
【００２５】
その他、情報処理のための制御部、外部機器とのインターフェイスやハードディスクなどの記録装置など、公知のノートＰＣと同様であるので詳細な説明は省略する。
【００２６】
表示パネル部２は、画像を表示する液晶パネルで構成されている。
【００２７】
図１（ｂ）及び（ｃ）に示すように外付け型電池３は、装置本体１に電源を供給するために電気的に接続するための接続端子６と装置本体１に装着するための装着部７とを備える。なお装着部７には電池（例えば第１の電池と同等な物）が組み込まれている。
【００２８】
接続端子６は、装置本体１に接続していない場合は、図示しない外部の充電器にて外付け型電池３を充電する時の電気を受電する端子となる。また装置本体１に接続している場合では、装置本体１から外付け型電池３を充電するための受電する端子となる。
【００２９】
装着部７は、外付け型電池３を装置本体１に固定するための端子であり、被装着部５に嵌め合うようになっている。そして装着部７を被装着部５に嵌め合うことで接続端子６は電気的に接続されるようになっている。例えば図１（ｃ）においては、外付け型電池３の装着部７を装置本体１の後ろ側面にある被装着部５に押し込むことで外付け型電池３を取り付ける。
【００３０】
図１（ｄ）は外付け型電池３を装置本体１に取り付けた状態を裏面から見た図である。装着部７は外付け型電池３を被装着部５に装着した際には図示しないロック機構により装置本体１に固定されるようになっている。
【００３１】
なお被装着部５と装着部７は外付け型電池３を掴んで持ち上げた時でも本体１のノートＰＣの重量を支えられる程度の強度を持っている。
【００３２】
なお外付け型電池３のロック機構及び外付け型電池３を取り外す際のリリース機構としては公知の機構を適用可能である。
【００３３】
図２は、第１の実施形態に係る情報処理装置の使用状態を説明する図である。
【００３４】
図２（ａ）は本体を左手持ちした場合を示し、外付け型電池３を装置本体１の左側となるように取り付けて、本体の重心を手持ちする左側に変更した状態である。図２（ｂ）は本体を右手持ちした場合を示し、外付け型電池３を装置本体１の右側となるように、図１（ｂ）に示すように外付け型電池３を１８０度ひっくり返して取り付けて、本体の重心を手持ちする右側に変更した状態である。
【００３５】
このように外付け型電池３は本体側面に装着されるので、片手持ちした場合に重心が持ち手側に移動するとともに外付け型電池３を手で握りしめることができて持ち手の安定感が増すことになる。この様に装置の片側を片持ち状態に掴んで使用する時には、装置の重量バランス（重心）を保持している持ち手側にシフトした方が持ちやすく、持ち手の疲労を軽減することが可能となる。
【００３６】
また外付け型電池３の形状は図１（ｂ）に示した形状に限定されることはなく片手で握りやすい形状であることが好ましい。例えば握り手のような形状でも良い。さらに外付け型電池３の表面は握りやすいように滑り止めの処理をすることが好ましい。
【００３７】
図２（ａ）から図２（ｂ）への外付け型電池３の位置変更は、被装着部５のロック機構を外して外付け型電池３の装着部７を取り外す。そして図１（ｂ）に示すように外付け型電池３を１８０度回転（外付け型電池３Ａの面を裏側にして３Ｂの面を表側にする）させた後に、外付け型電池３の装着部７を再度、被装着部５に押し込んで装置本体１に取り付ける。
【００３８】
なお本実施形態においては装置本体１に電源を供給するための内部電池の取り付け部を被装着部５として兼用しているため、外付け型電池３は長時間使用可能な大容量バッテリーであることが望ましい。通常、装着部７には電池（例えば第１の電池と同等な物）が入っているが、装置本体１の重量が重くなるため軽量性を重視する際には装着部７部分は電池でなくても構わない。
【００３９】
図３は、第１の実施形態に係る重心位置の変更手順を示すフローチャートである。
【００４０】
最初に装置本体１に既に装着されている外付け型電池３を被装着部５のロックを解除して取り外す（ステップＳ１）。取り外した外付け型電池３を反対側（左右逆方向）へ装着するために表裏面を１８０度回転させる（ステップＳ２）。外付け型電池３の装着部７は対称の構造になっているため、装着部７を再度被装着部５に押し込むことで装着する（ステップＳ３）。これにより外付け型電池３は、例えば左側から右側に取り付け位置を変更できると共に重心位置も変更することができる。
【００４１】
図４は、本発明の第２の実施形態に係る情報処理装置（モバイル型ノートＰＣ）の概略図である。図４（ａ）は正面から見た図であり外付け型電池の取り付け状態を説明する図であり、図４（ｂ）は外付け型電池の斜視図であり、図４（ｃ）は外付け型電池を取り付けた装置本体を背面から見た図であり、図４（ｄ）は装置本体を裏面から見た図である。
【００４２】
本実施形態の情報処理装置は、第１の実施形態と同様の部分は同じ符号をつけてある。また第１の実施形態と相違する点について以下に説明し、同様の部分については詳細な説明を省略する。
【００４３】
装置本体１は、入力部４と外付け型電池（第２の電池）１３の被装着部５とを備える。外付け型電池１３を取り付けるための被装着部５は装置本体１の後ろ側に設けられている内部電池（第１の電池）を装着するためのものである。本実施形態においては内部電池の取り付け部を外付け型電池１３の被装着部５として利用する。
【００４４】
その他、情報処理のための制御部、外部機器とのインターフェイスやハードディスクなどの記録装置など、公知のノートＰＣと同様であるので詳細な説明は省略する。
【００４５】
図４（ｂ）及び（ｃ）に示すように外付け型電池１３は、装置本体１に電源を供給するために電気的に接続するための接続端子６と装置本体１に装着するための装着部７とを備える。なお装着部７には電池（例えば第１の電池と同等な物）が組み込まれている。
【００４６】
接続端子６は、装置本体１に接続していない場合は、図示しない外部の充電器にて外付け型電池１３を充電する時の電気を受電する端子となる。また装置本体１に接続している場合では、装置本体１から外付け型電池１３を充電するための受電する端子となる。
【００４７】
装着部７は、外付け型電池１３を装置本体１に固定するための端子であり、被装着部５に嵌め合うようになっている。そして装着部７を被装着部５に嵌め合うことで接続端子６は電気的に接続されるようになっている。例えば図４（ｃ）においては、外付け型電池１３の装着部７を装置本体１の後ろ側面にある被装着部５に押し込むことで外付け型電池１３を取り付ける。
【００４８】
図４（ｄ）は外付け型電池１３を装置本体１に取り付けた状態を裏面から見た図である。装着部７は外付け型電池１３を被装着部５に装着した際には図示しないロック機構により装置本体１に固定されるようになっている。
【００４９】
なお被装着部５と装着部７は外付け型電池１３を掴んで持ち上げた時でも本体１のノートＰＣの重量を支えられる程度の強度を持っている。
【００５０】
なお外付け型電池１３のロック機構及び外付け型電池１３を取り外す際のリリース機構としては公知の機構を適用可能である。
【００５１】
外付け型電池１３の握り手部と装着部７は、回動可能な第１のヒンジ機構８と第２のヒンジ機構９により接続されて構成されている。図４（ｂ）に示すように外付け型電池１３を表面１３Ａの状態で装着後に、回動可能な第１のヒンジ機構８と第２のヒンジ機構９により外付け型電池１３の握り手部を装置本体１の裏面に固定する。なお外付け型電池１３の握り手部と装着部７は回動可能な第１のヒンジ機構８と第２のヒンジ機構９を通じて電気的な接続がなされている。
【００５２】
次に装着部７を被装着部５から取り外して、外付け型電池１３を裏返して、裏面１３Ｂの状態で装着後に、回動可能な第１のヒンジ機構８と第２のヒンジ機構９により外付け型電池１３の握り手部を装置本体１の裏面に固定することで、外付け型電池１３の位置を左側から右側に変更することができる。
【００５３】
なお外付け型電池１３は、図４（ｃ）の左側及び右側取り付け状態において本体１に固定されるように第１のヒンジ機構８と第２のヒンジ機構９にはロック機構が備えられている。なお上記に限定されることはなく第１のヒンジ機構８と第２のヒンジ機構９や図示しないロック機構としては公知の機構が適用可能である。
【００５４】
なお第１のヒンジ機構８と第２のヒンジ機構９は外付け型電池１３を掴んで持ち上げた時でも本体１のノートＰＣの重量を支えられる程度の強度を持っている。
【００５５】
図５は、第２の実施形態に係る情報処理装置の使用状態を説明する図である。
【００５６】
図５（ａ）は本体を左手持ちした場合を示し、外付け型電池１３を装置本体１の左下側となるように取り付けて、本体の重心を手持ちする左側に変更した状態である。
【００５７】
図５（ｂ）は本体を右手持ちした場合を示し、外付け型電池１３を装置本体１の右下側となるように、外付け型電池１３を１８０度ひっくり返して取り付けて、本体の重心を手持ちする右側に変更した状態である。
【００５８】
このように外付け型電池１３は本体裏面に装着されるので、片手持ちした場合に重心が持ち手側に移動するとともに外付け型電池１３に指をかけて手で握りしめることができるので、さらに持ち手の安定感が増すことになる。この様に装置の片側を片持ち状態に掴んで使用する時には、装置の重量バランス（重心）を保持している持ち手側にシフトした方が持ちやすく、持ち手の疲労を軽減することが可能となる。
【００５９】
また外付け型電池１３の形状は図４（ｂ）に示した形状に限定されることはなく片手で握りやすい形状であることが好ましい。例えば握り手のような形状でも良い。さらに外付け型電池１３の表面は握りやすいように滑り止めの処理をすることが好ましい。
【００６０】
図５（ａ）から図５（ｂ）への外付け型電池１３の位置変更は、被装着部５のロック機構を外して外付け型電池１３の装着部７を取り外す。そして図４（ｂ）に示すように外付け型電池１３を１８０度回転（外付け型電池１３Ａの面を裏側にして１３Ｂの面を表側にする）させた後に、外付け型電池１３の装着部７を再度、被装着部５に押し込んで装置本体１に取り付ける。
【００６１】
その後、図４（ｃ）に示すように、第１のヒンジ部８と第２のヒンジ部９を回動させて調整し、装置本体１の裏側に外付け型電池１３の握り手部を配置して固定する。このとき第１のヒンジ部８及び第２のヒンジ部９はロック機構によりロックされて固定される。
【００６２】
なお本実施形態においては装置本体１に電源を供給するための内部電池の取り付け部を被装着部５として兼用しているため、外付け型電池１３は長時間使用可能な大容量バッテリーであることが望ましい。通常、装着部７には電池（例えば第１の電池と同等な物）が入っているが、装置本体１の重量が重くなるため軽量性を重視する際には装着部７部分は電池でなくても構わない。
【００６３】
図６は、第２の実施形態に係る重心位置の変更手順を示すフローチャートである。
【００６４】
最初に装置本体１に既に装着されている外付け型電池１３を被装着部のロックを解除して取り外す（ステップＳ１１）。取り外した外付け型電池１３を反対側（左右逆方向）へ装着するために表裏面を１８０度回転させる（ステップＳ１２）。外付け型電池１３の装着部７は対称の構造になっているため、装着部７を再度被装着部５に押し込むことで装着する（ステップＳ１３）。これにより外付け型電池１３は、例えば左側から右側に取り付け位置を変更できると共に重心位置も変更することができる。その後、第１のヒンジ部８と第２のヒンジ部９を回動させて調整し、装置本体１の裏側に外付け型電池１３を配置して固定する（ステップＳ１４）。このとき第１のヒンジ部８及び第２のヒンジ部９はロック機構によりロックされて固定される（ステップＳ１５）。
【００６５】
図７は、本発明の第３の実施形態に係る情報処理装置（モバイル型ノートＰＣ）の概略図である。図７（ａ）は正面から見た図であり外付け型電池の取り付け状態を説明する図であり、図７（ｂ）は外付け型電池を取り付ける被装着部５の配置を示すために装置本体を裏面から見た図である。
【００６６】
本実施形態の情報処理装置は、第１の実施形態と同様の部分は同じ符号をつけてある。また第１の実施形態と相違する点について以下に説明し、同様の部分については詳細な説明を省略する。
【００６７】
装置本体１は、入力部４と外付け型電池（第２の電池）２３の被装着部５とを備える。外付け型電池２３を取り付けるための被装着部５は装置本体１の裏側に複数設けられている。なお装置本体１は図示しない内部電池（第１の電池）を装着している。
【００６８】
その他、情報処理のための制御部、外部機器とのインターフェイスやハードディスクなどの記録装置など、公知のノートＰＣと同様であるので詳細な説明は省略する。
【００６９】
図７（ａ）に示すように外付け型電池２３は、装置本体１に電源を供給するために電気的に接続するための接続端子６と装置本体１に装着するための装着部７とを備える。
【００７０】
接続端子６は、装置本体１に接続していない場合は、図示しない外部の充電器にて外付け型電池２３を充電する時の電気を受電する端子となる。また装置本体１に接続している場合では、装置本体１から外付け型電池２３を充電するための受電する端子となる。
【００７１】
装着部７は、外付け型電池２３を本体に固定するための端子であり、被装着部５に嵌め合うようになっている。そして装着部７を被装着部５に嵌め合うことで接続端子６は電気的に接続されるようになっている。例えば図７（ｂ）においては、外付け型電池２３の装着部７を装置本体１の裏面側にある２つの被装着部５に押し込むことで外付け型電池２３を取り付けて固定する。なお上述したように被装着部５及び装着部７は２つに限定されることではなく、１つ以上であれば良い。
【００７２】
装着部７は外付け型電池２３を被装着部５に装着した際には図示しないロック機構により装置本体１に固定されるようになっている。
【００７３】
なお被装着部５と装着部７は外付け型電池２３を掴んで持ち上げた時でも本体１のノートＰＣの重量を支えられる程度の強度を持っている。なお被装着部５の数や配置は図７（ｂ）に示すことに限定されず様々な変形が可能である。
【００７４】
なお外付け型電池２３のロック機構及び外付け型電池２３を取り外す際のリリース機構としては公知の機構を適用可能である。
【００７５】
図８は、第３の実施形態に係る情報処理装置の使用状態を説明する図である。
【００７６】
図８（ａ）は本体を左手持ちした場合を示し、外付け型電池２３を装置本体１の左下側となるように取り付けて、本体の重心を手持ちする左側に変更した状態である。
【００７７】
図８（ｂ）は本体を右手持ちした場合を示し、外付け型電池２３を装置本体１の右下側となるように取り付けて、本体の重心を手持ちする右側に変更した状態である。
【００７８】
このように外付け型電池２３は本体裏面に装着されるので、片手持ちした場合に重心が持ち手側に移動するとともに外付け型電池２３に指をかけて手で握りしめることができるので、さらに持ち手の安定感が増すことになる。この様に装置の片側を片持ち状態に掴んで使用する時には、装置の重量バランス（重心）を保持している持ち手側にシフトした方が持ちやすく、持ち手の疲労を軽減することが可能となる。
【００７９】
また外付け型電池２３の形状は図７（ａ）に示した形状に限定されることはなく片手で握りやすい形状であることが好ましい。例えば握り手のような形状でも良い。さらに外付け型電池２３の表面は握りやすいように滑り止めの処理をすることが好ましい。
【００８０】
図８（ａ）から図８（ｂ）への外付け型電池２３の位置変更は、被装着部５のロック機構を外して外付け型電池２３の装着部７を取り外す。そして外付け型電池２３を移動して外付け型電池２３の装着部７を再度、反対側の被装着部５に押し込んで装置本体１に取り付ける。
【００８１】
なお本実施形態においては装置本体１に電源を供給するための内部電池を装着しているため、外付け型電池２３は通常の使用時間である電池でも、長時間使用可能な大容量電池であっても良い。また内部電池は必ず備えている必要はなく、外付け型電池２３だけを備えていても構わない。
【００８２】
図９は、本発明の第４の実施形態に係る情報処理装置（モバイル型ノートＰＣ）の概略図である。図９（ａ）は正面から見た図であり外付け型電池の取り付け状態を説明する図であり、図９（ｂ）は装置を右側面から見た図であり、図９（ｃ）は外付け型電池を上から見た図である。
【００８３】
本実施形態の情報処理装置は、第１の実施形態と同様の部分は同じ符号をつけてある。また第１の実施形態と相違する点について以下に説明し、同様の部分については詳細な説明を省略する。
【００８４】
装置本体１は、入力部４と外付け型電池（第２の電池）３３の被装着部５とを備える。外付け型電池３３を取り付けるための被装着部５は装置本体１の左右側面に複数設けられている。なお装置本体１は図示しない内部電池（第１の電池）を装着している。
【００８５】
その他、情報処理のための制御部、外部機器とのインターフェイスやハードディスクなどの記録装置など、公知のノートＰＣと同様であるので詳細な説明は省略する。
【００８６】
図９（ａ）及び（ｃ）に示すように外付け型電池３３は、本体１に電源を供給するために電気的に接続するための接続端子６と本体１に装着するための装着部７とを備える。
【００８７】
接続端子６は、本体１に接続していない場合は、図示しない外部の充電器にて外付け型電池３３を充電する時の電気を受電する端子となる。また本体１に接続している場合では、本体１から外付け型電池３３を充電するための受電する端子となる。
【００８８】
装着部７は、外付け型電池３３を本体に固定するための端子であり、被装着部５に嵌め合うようになっている。そして装着部７を被装着部５に嵌め合うことで接続端子６は電気的に接続されるようになっている。例えば図９（ａ）においては、外付け型電池３３の装着部７を装置本体１の左右側面にある２つの被装着部５に押し込むことで外付け型電池３３を取り付ける。なお上述したように被装着部５及び装着部７は２つに限定されることではなく、１つ以上であれば良い。
【００８９】
装着部７は外付け型電池３３を被装着部５に装着した際には図示しないロック機構により本体１に固定されるようになっている。
【００９０】
なお被装着部５と装着部７は外付け型電池３３を掴んで持ち上げた時でも本体１のノートＰＣの重量を支えられる程度の強度を持っている。
【００９１】
なお外付け型電池３３のロック機構及び外付け型電池３３を取り外す際のリリース機構としては公知の機構を適用可能である。
【００９２】
図１０は、第４の実施形態に係る情報処理装置の使用状態を説明する図である。
【００９３】
図１０（ａ）は本体を左手持ちした場合を示し、外付け型電池３３を装置本体１の左側となるように取り付けて、本体の重心を手持ちする左側に変更した状態である。
【００９４】
図１０（ｂ）は本体を右手持ちした場合を示し、外付け型電池３３を装置本体１の右側となるように取り付けて、本体の重心を手持ちする右側に変更した状態である。
【００９５】
このように外付け型電池３３は本体左右側面に装着されるので、片手持ちした場合に重心が持ち手側に移動するとともに外付け型電池３３を手で握りしめることができるので、持ち手の安定感が増すことになる。この様に装置の片側を片持ち状態に掴んで使用する時には、装置の重量バランス（重心）を保持している持ち手側にシフトした方が持ちやすく、持ち手の疲労を軽減することが可能となる。
【００９６】
また外付け型電池３３の形状は図９（ａ）に示した形状に限定されることはなく片手で握りやすい形状であることが好ましい。例えば握り手のような形状でも良い。さらに外付け型電池３３の表面は握りやすいように滑り止めの処理をすることが好ましい。
【００９７】
図１０（ａ）から図１０（ｂ）への外付け型電池３３の位置変更は、被装着部５のロック機構を外して外付け型電池３３の装着部７を取り外す。そして外付け型電池３３を移動して外付け型電池３３の装着部７を再度、反対側の被装着部５に押し込んで装置本体１に取り付ける。
【００９８】
なお本実施形態においては装置本体１に電源を供給するための内部電池を装着しているため、外付け型電池３３は通常の使用時間であるバッテリーでも、長時間使用可能な大容量バッテリーであっても良い。また内部電池は必ず備えている必要はなく、外付け型電池３３だけを備えていても構わない。
【００９９】
上記に実施形態によれば、情報処理装置において外付け型電池（バッテリー）の取り付け位置によりバランス（重心）を変更し、持ち手の疲労を軽減することが可能となる。
【０１００】
また上記の実施形態によれば、情報処理装置を右手持ち、左手持ちした場合に、その状況に合わせて容易に外付け型電池の位置を変更して重心位置を変えることができるので長時間持った場合でも持ち手の疲労を軽減することが可能となる。
【０１０１】
また上記の実施形態によれば、外付け型電池の位置を変えることでユーザの持ち方に合わせた重心位置を最適化することが可能となる。
【０１０２】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０１０３】
本発明に係る重心位置変動情報処理装置は、前記外付け型電池の前記装着部が、前記被装着部に嵌め合って固定されることにより前記接続端子が電気的に接続されることを特徴とする。
【０１０４】
また本発明に係る重心位置変動情報処理装置は、前記外付け型電池は、前記握り手部と前記装着部とを回動可能に接続する第１のヒンジ部と第２のヒンジ部と、を有し、前記外付け型電池は、前記装着部を中心として左側または右側に装着した場合、前記第１のヒンジ部と前記第２のヒンジ部の回動動作により前記装置の裏側に前記握り手部を配置可能であることを特徴とする。
【０１０５】
また本発明に係る重心位置変動情報処理装置の前記第１のヒンジ部と前記第２のヒンジ部は、予め定められた位置において回動動作を係止するロック機構を有することを特徴とする。
【０１０６】
また本発明に係る重心位置変動情報処理装置の前記被装着部は前記装置の裏面の左右端に設けられ、前記外付け型電池を左側または右側の前記被装着部に装着することにより前記装置を支持するための握り手部となるとともに重心位置を前記握り手部側に移動することを特徴とする。
【０１０７】
また本発明に係る重心位置変動情報処理装置の前記被装着部は前記装置の左右両側面に設けられることを特徴とする。
【産業上の利用可能性】
【０１０８】
本発明によれば、ノート型パソコン、モバイル型ノートパソコンなどの情報処理装置の用途に適用できる。
【符号の説明】
【０１０９】
１    装置本体
２    表示パネル部
３、１３、２３、３３    外付け型電池
４    入力部
５    被装着部
６    接続端子
７    装着部
８    第１のヒンジ機構
９    第２のヒンジ機構
【図１】
0005581096.tif 000002
【図２】
0005581096.tif 000003
【図３】
0005581096.tif 000004
【図４】
0005581096.tif 000005
【図５】
0005581096.tif 000006
【図６】
0005581096.tif 000007
【図７】
0005581096.tif 000008
【図８】
0005581096.tif 000009
【図９】
0005581096.tif 000010
【図１０】
0005581096.tif 000011